【事件の表示】
　特許第２６０６２７２号「全稈投入型コンバイン」の請求項１ないし２に係る特許に対する特許異議の申立てについて、次のとおり決定する。
【結論】
　訂正を認める。
　特許第２６０６２７２号の請求項１に係る特許を維持する。
【理由】
Ｉ．手続きの経緯
　本件特許第２６０６２７２号発明（昭和６３年４月５日特許出願、平成９年２月１３日設定登録）の特許に対し、異議申立人、ヤンマー農機株式会社より特許異議の申立てがなされ、当審において、取消理由を通知したところ、その指定期間内である平成１０年６月５日に訂正請求がなさた。
ＩＩ．訂正の適否について
１．訂正の内容
　特許権者が求めている訂正の内容は、以下のとおりである。
（１）特許請求の範囲の記載において、請求項２を削除する。
（２）発明の詳細な説明の訂正
　　▲１▼特許明細書（平成８年１１月５日付け手続補正書で補正された明細書）２頁１７〜２２行（特許公報第３欄２５〜３２行）の「また、搬送フレームには分草体が固定されていないから、搬送フレームを上下調節すると分草体との相対的関係位置が変化し、分草に悪影響を与える。
　また、公知の実願昭５３−８８０７９号のマイクロフィルムに記載されたものは、リールは設けられてなく、全稈投入型脱穀装置でもないから、リールとの関係において、回動式分草搬送装置の分草を調節するものではない。」を「また、搬送フレームには分草体が固定されていないから、例えば、搬送フレームを上下調節すると分草体との相対的関係位置が変化し、分草に悪影響を与える。
　また、公知の実願昭５３−８８０７９号のマイクロフィルムに記載されたものは、リールは設けられてなく、全稈投入型脱穀装置でもないから、リールとの関係において、回動式分草搬送装置の分草作用域を設定するものではない。」と訂正する。
　▲２▼同明細書３頁７〜９行（特許公報第３欄５０〜第４欄３行）の「また、前記搬送フレーム１５は、前記分草体１２及び前記回動式分草搬送装置１４ごと後部を中心に前部が上下調節されるようにした全稈投入型コンバインとしたものである。」を削除する。
　▲３▼同明細書３頁１９〜２０行（特許公報第４欄１５〜１７行）の「１３は該分草体１２の支持杆１３であり、支持杆１３の後端部を第４図のように前記側壁１１に対し、軸止する。」を「１３は該分草体１２の支持杆１３であり、支持杆１３の後端部を前記側壁１１に取り付ける。」と訂正する。
　▲４▼同明細書４頁１〜３行（特許公報第４欄３０〜３４行）の「しかして、回動式分草搬送装置１４は、前端部は前記分草体１２の後部に臨み、かつ前端は前記リール５の掻込み開始位置よりも前方位置であり、後端は前記リール５の掻込み終了位置よりも後方位置である。」を「しかして、第２図に示すように、回動式分草搬送装置１４は、前端部は前記分草体１２の後部に臨み、かつ前端は前記リール５の掻込み開始位置よりも前方位置であり、後端は前記リール５の掻込み終了位置よりも後方位置である。」と訂正する。
　▲５▼同明細書４頁１０〜１８行（特許公報第４欄４２〜第５欄２行）の「第４図は前記分草体１２を取付けた支持秤１３の後端部の取付構造を示し、支持株１３の後端部に取付板２８を固着し、該取付板２８に形成した長孔２９に、側壁１に設けたピン３０を挿入させて取付け、前記分草体１２と回動式分草搬送装置１４を上下位置調節自在に取付ける。すなわち、前記分草体１２と回動式分草搬送装置１４は、前記伝動ケース２０の上部の後側横軸１７または回転軸２１を中心に、他の刈取部４部材とは別個に独立して上下回動自在に設ける。
　３１は、一端を側壁１に係止したバネであり、該バネ３１の他端を前記取付板２に係止し、常時分草体１２が地面に摺接するように付勢する。」を削除する。
　▲６▼同明細書５１頁４〜７行（特許公報第５欄２２〜２７行）の「また、前記搬送フレーム１５は、前記分草体１２及び前記回動式分草搬送装置１４ごと後部を中心に前部が上下調節されるようにしたから、上下調節しても分草体１２と回動式分草搬送装置１４の相対的位置関係は変化せず、全稈投入型コンバインとしたものであるから、分草体１２による分草、回動式分草搬送装置１４による分草が円滑に行なえる。」を削除する。
　▲７▼同明細書５頁１７行（特許公報第５欄４０行）の「回動式分草搬送装置の分草を調節するものではない。」を「回動式分草搬送装置の分草作用域を設定するものではない。」と訂正する。
　▲８▼同明細書６頁７〜９行（特許公報第６欄２４〜２７行）の「また、前記搬送フレーム１５は、前記分草体１２及び前記回動式分草搬送装置１４ごと後部を中心に前部が上下調節されるようにした全稈投入型コンバインとしたものであるから、最も適した位置に調節して刈取できる。」を削除する。
　▲９▼【図面の簡単な説明】の「第３図は要部正面図、第４図は第２実施例図である。」を「第３図は要部正面図である。」と訂正する。
　▲１０▼第４図を削除する。
２．訂正の目的の適否及び拡張・変更の存否
　上記（１）の訂正は、特許請求の範囲に記載された請求項２を削除するものであるから、特許請求の範囲の減縮を目的とするものに該当する。
　また、（２）▲１▼ないし▲１０▼の訂正は、発明の詳細な説明の内容を訂正後の特許請求の範囲の記載と整合させるために、発明の詳細な説明の記載を訂正するものであるから、明りょうでない記載の釈明を目的とするものに該当する。
　そして、前記上記（１）ないし（２）▲１０▼の訂正は、願書に添付した明細書又は図面に記載した事項の範囲内においてするものであって新規事項を追加するものでなく、かつ、実質上特許請求の範囲を拡張し、又は変更するものではない。
３．独立特許要件の判断
（１）特許法第３６条について
　当審において通知した取消理由において、第２実施例の具体的構成を示している第４図では、リール５の掻込み終了位置が不明であり、特許請求の範囲の「搬送フレーム１５には……後端は前記リール５の掻込み終了位置よりも後方位置である横軸回転の回動式分草搬送装置１４を設けた」構成が明確に記載されていないので、本件明細書又は図面には当業者が容易に本件発明を実施できる程度にその構成が記載されていない旨指摘した。
　しかしながら、上記明細書記載の不備は、訂正請求によって訂正され、解消された。
（２）特許法第２９条の２について
（訂正明細書の発明）
　訂正後の請求項１に係る発明（以下、「訂正明細書の発明」という。）は、訂正請求書に添付した明細書における特許請求の範囲の請求項１に記載されたとおりの、
　「フレーム１の下部に走行装置２を、前記フレーム１上に全稈投入型脱穀装置３を、前記フレーム１の前方に分草体１２と該分草体１２で分草した穀稈を掻込む掻込リール５と該掻込リール５で掻込んだ穀稈の根元を切断する刈刃６と該刈刃６で切断した穀稈を集合させるオーガー７とを有する刈取部４を設け、前記オーガー７と前記脱穀装置３の間に前記オーガー７から前記脱穀装置３に至る穀稈搬送装置９を設けた全稈投入型コンバインにおいて、前記リール５のリールフレーム３２の両側または片側には、先端に前記分草体１２を固定した搬送フレーム１５を設け、該搬送フレーム１５は後部を前記刈取部４側に軸止し、該搬送フレーム１５には前端は前記リール５の掻込み開始位置よりも前方位置であり後端は前記リール５の掻込み終了位置よりも後方位置である横軸回転の回動式分草搬送装置１４を設けた全稈投入型コンバイン。」にある。
（先願明細書記載の発明）
　当審において通知した取消理由で引用した実願昭６２−６７３２２号（実開昭６３−１７７１２６号）の願書に最初に添付した明細書又は図面（以下、「先願明細書」という。）には、次の発明が記載されている。（括弧内に、訂正明細書の発明において対応する構成を記す。）
　フレームの下部に走行装置を、前記フレーム上に全稈投入型脱穀装置を、前記フレームの前方に分草板５１ｂ（分草体１３）と該分草板５１ｂで分草した穀稈を掻込む掻込リール５３と該掻込リール５３で掻込んだ穀稈の根元を切断する刈刃５４と該刈刃５４で切断した穀稈を集合させる掻込ドラム５５（オーガー７）とを有する刈取部５を設け、前記掻込ドラム５５と前記脱穀装置の間に前記掻込ドラム５５から前記脱穀装置に至る搬送室５２（穀稈搬送装置９）を設けた全稈投入型コンバインにおいて、前記リール５３のリールフレームの両側または片側には、先端に前記分草板５１ｂを固定した引起しケース６３（搬送フレーム１５）を設け、綜引起しケース６３は後部を前記刈取部５側に軸止し、該搬送フレーム６３には前端は前記リール５３の掻込み開始位置よりも前方位置であり後端は前記刈刃５４の上方位置である横軸回転の強制分草引起装置６（回動式分草搬送装置１４）を設けた全稈投入型コンバイン。
（対比・判断）
　訂正明細書の発明と先願明細書記載の発明とを比較すると、
　訂正明細書の発明は、「搬送フレーム１５には……後端は前記リール５の掻込み終了位置よりも後方位置である横軸回転の回動式分草搬送装置１４を設け」る構成を備えているのに対し、先願明細書記載の発明は、前記構成を備えていない点で両者は相違している。
　そして、訂正明細書の発明は前記構成により明細書記載の効果を奏するので、訂正明細書の発明と先願明細書等記載の発明と同一であるとすることはできない。
　したがって、訂正明細書の発明は特許出願の際独立して特許を受けることができるものである。
４．むすび
　以上のとおりであるから、上記訂正は、特許法等の一部を改正する法律（平成６年法律第１１６号）附則第６条第１項の規定によりなお従前の例によるとされる、特許法第１２０条の４第２項、同条第３項で準用する第１２６条第２〜４項の規定に適合するので、当該訂正を認める。
ＩＩＩ．本件発明
　本件請求項１に係る発明（以下、「本件発明」という）は、上記ＩＩ．３．独立特許要件の判断における（訂正明細書の発明）に記載したとおりのものである。
ＩＶ．特許異議の申立てについて
１．特許異議申立理由の概要
（１）本件特許明細書又は図面には当業者が容易に実施できる程度に本件発明の構成が記載されていないので、その特許は、特許法第３６条第３項の規定を満たしていない出願に対してされたものであり、取り消されるべきである。
（２）本件発明は、下記の甲第２号証の１ないし甲第３号証の３を考慮すると、甲第１号証の２に記載された発明と同一であるから、その特許は、特許法第２９条の２の規定に違反してされたものであり、取り消されるべきである。
　　　　　　　　　　　記
　甲第１号証の１：実開昭６３−１７７１２６号公報
　甲第１号証の２：実願昭６２−６７３２２号（実開昭６３−１７７１２６号）のマイクロフイルム
　甲第２号証の１：実開昭６２−１７８３７号公報
　甲第２号証の２：実公昭５３−１５７０９号公報
　甲第３号証の１：実開昭６２−８９９２７号公報
　甲第３号証の２：実公昭４７−３２２８５号公報
　甲第３号証の３：実公昭４４−６９９８号公報
２．当審の判断
（１）特許法第３６条違反（上記（１）の理由）について
　異議申立人の主張する明細書記載の不備は、訂正請求によって明細書が訂正され、解消された。
（２）特許法第２９条の２違反（上記（２）の理由）について
　甲第１号証の１ないし２記載の発明は、上記ＩＩ．３．（２）（先願明細書記載の発明）に記載したとおりである。
　そして、本件発明と甲第１号証の１ないし２記載の発明とを比較すると、上記ＩＩ．３．（２）（対比・判断）に記載した点で相違している。
　この相違点を検討するに、甲第２号証の１ないし２には、分草体を後部を中心に前部が上下調節可能に構成した全稈投入型コンバインが記載されており、また、甲第３号証の１ないし３には、前後方向に移動調整できる掻き込みリールを設けた全稈投入型コンバインが記載されているが、前記甲号各証には、上記相違点の構成である「搬送フレーム１５には……後端は前記リール５の掻込み終了位置よりも後方位置である横軸回転の回動式分草搬送装置１４を設け」る構成は記載されていない。
　したがって、甲第２号証の１ないし甲第３号証の３を考慮しても、本件発明が甲第１号証の１ないし２に記載された発明と同一であるとすることはできない。
３．むすび
　以上のとおりであるから、特許異議申立ての理由及び証拠方法によって、本件発明の特許を取り消すことはできない。
　また、他に本件発明の特許を取り消すべき理由を発見しない。
　よって、結論のとおり決定する。
【異議決定日】
平成１１年９月２日（１９９９．９．２）
【訂正の要旨】
　特許第２６０６２７２号発明の明細書及び図面を本件訂正請求書に添付された訂正明細書のとおりに訂正する、すなわち、特許請求の範囲の減縮を目的として下記（１）のとおりに訂正し、また、明りょうでない記載の釈明を目的として下記（２）ないし（１１）のとおりに訂正する。
（１）特許請求の範囲の記載において、請求項２を削除する。
（２）特許明細書（平成８年１１月５日付け手続補正書で補正された明細書）２頁１７〜２２行（特許公報第３欄２５〜３２行）の「また、搬送フレームには分草体が固定されていないから、搬送フレームを上下調節すると分草体との相対的関係位置が変化し、分草に悪影響を与える。
　また、公知の実願昭５３−８８０７９号のマイクロフィルムに記載されたものは、リールは設けられてなく、全稈投入型脱穀装置でもないから、リールとの関係において、回動式分草搬送装置の分草を調節するものではない。」を「また、搬送フレームには分草体が固定されていないから、例えば、搬送フレームを上下調節すると分草体との相対的関係位置が変化し、分草に悪影響を与える。
　また、公知の実願昭５３−８８０７９号のマイクロフィルムに記載されたものは、リールは設けられてなく、全稈投入型脱穀装置でもないから、リールとの関係において、回動式分草搬送装置の分草作用域を設定するものではない。」と訂正する。
（３）同明細書３頁７〜９行（特許公報第３欄５０〜第４欄３行）の「また、前記搬送フレーム１５は、前記分草体１２及び前記回動式分草搬送装置１４ごと後部を中心に前部が上下調節されるようにした全稈投入型コンバインとしたものである。」を削除する。
（４）同明細書３頁１９〜２０行（特許公報第４欄１５〜１７行）の「１３は該分草体１２の支持杆１３であり、支持杆１３の後端部を第４図のように前記側壁１１に対し、軸止する。」を「１３は該分草体１２の支持杆１３であり、支持杆１３の後端部を前記側壁１１に取り付ける。」と訂正する。
（５）▲４▼同明細書４頁１〜３行（特許公報第４欄３０〜３４行）の「しかして、回動式分草搬送装置１４は、前端部は前記分草体１２の後部に臨み、かつ前端は前記リール５の掻込み開始位置よりも前方位置であり、後端は前記リール５の掻込み終了位置よりも後方位置である。」を「しかして、第２図に示すように、回動式分草搬送装置１４は、前端部は前記分草体１２の後部に臨み、かつ前端は前記リール５の掻込み開始位置よりも前方位置であり、後端は前記リール５の掻込み終了位置よりも後方位置である。」と訂正する。
（６）同明細書４頁１０〜１８行（特許公報第４欄４２〜第５欄２行）の「第４図は前記分草体１２を取付けた支持秤１３の後端部の取付構造を示し、支持株１３の後端部に取付板２８を固着し、該取付板２８に形成した長孔２９に、側壁１に設けたピン３０を挿入させて取付け、前記分草体１２と回動式分草搬送装置１４を上下位置調節自在に取付ける。すなわち、前記分草体１２と回動式分草搬送装置１４は、前記伝動ケース２０の上部の後側横軸１７または回転軸２１を中心に、他の刈取部４部材とは別個に独立して上下回動自在に設ける。
　３１は、一端を側壁１に係止したバネであり、該バネ３１の他端を前記取付板２に係止し、常時分草体１２が地面に摺接するように付勢する。」を削除する。
（７）同明細書５頁４〜７行（特許公報第５欄２２〜２７行）の「また、前記搬送フレーム１５は、前記分草体１２及び前記回動式分草搬送装置１４ごと後部を中心に前部が上下調節されるようにしたから、上下調節しても分草体１２と回動式分草搬送装置１４の相対的位置関係は変化せず、全稈投入型コンバインとしたものであるから、分草体１２による分草、回動式分草搬送装置１４による分草が円滑に行なえる。」を削除する。
（８）同明細書５頁１７行（特許公報第５欄４０行）の「回動式分草搬送装置の分草を調節するものではない。」を「回動式分草搬送装置の分草作用域を設定するものではない。」と訂正する。
（９）同明細書６頁７〜９行（特許公報第６欄２４〜２７行）の「また、前記搬送フレーム１５は、前記分草体１２及び前記回動式分草搬送装置１４ごと後部を中心に前部が上下調節されるようにした全稈投入型コンバインとしたものであるから、最も適した位置に調節して刈取できる。」を削除する。
（１０）【図面の簡単な説明】の「第３図は要部正面図、第４図は第２実施例図である。」を「第３図は要部正面図である。」と訂正する。
（１１）第４図を削除する。
（５４）【発明の名称】
全稈投入型コンバイン
（５７）【特許請求の範囲】
　　【請求項１】　フレーム１の下部に走行装置２を、前記フレーム１上に全稈投入型脱穀装置３を、前記フレーム１の前方に分草体１２と該分草体１２で分草した穀稈を掻込む掻込リール５と該掻込リール５で掻込んだ穀稈の根元を切断する刈刃６と該刈刃６で切断した穀稈を集合させるオーガー７とを有する刈取部４を設け、前記オーガー７と前記脱穀装置３の間に前記オーガー７から前記脱穀装置３に至る穀稈搬送装置９を設けた全稈投入型コンバインにおいて、前記リール５のリールフレーム３２の両側または片側には、先端に前記分草体１２を固定した搬送フレーム１５を設け、該搬送フレーム１５は後部を前記刈取部４側に軸止し、該搬送フレーム１５には前端は前記リール５の掻込み開始位置よりも前方位置であり後端は前記リール５の掻込み終了位置よりも後方位置である横軸回転の回動式、分草搬送装置１４を設けた全稈投入型コンバイン
。
【発明の詳細な説明】
　　【産業上の利用分野】
　本発明は、全稈投入型コンバインに係るものである。
　　【従来技術】
　従来、公知の実願昭５６−１４５１２８号（実開昭５８−５２９２４号）のマイクロフィルムには、フレームの下部に走行装置を、前記フレーム上に全稈投入型脱穀装置を、前記フレームの前方に分草体と該分草体で分草した穀稈を掻込む掻込リールと該掻込リールで掻込んだ穀稈の根元を切断する刈刃と該刈刃で切断した穀稈を集合させるオーガーとを有する刈取部を設け、前記オーガーの前記脱穀装置の間に前記オーガーから前記脱穀装置に至る穀稈搬送装置を設けた全稈投入型コンバインにおいて、前記リールのリールフレームの片側には、搬送フレームを上下自在に軸止し、該搬送フレームには前端も後端も前記リールの掻込み開始位置よりは前方位置である横軸回転の回動式分草搬送装置を設けた全稈投入型コンバインについて記載されている。なお、実願昭５６−１４５１２９号（実開昭５８−５２９２５号）のマイクロフィルムにも、全く同一の構造について記載されている。
　また、公知の実願昭５３−８８０７９号（実開昭５５−５１６１号）のマイクロフィルムには、リールは設けられてなく、全稈投入型脱穀装置でもなく、通常の穂先挿入タイプの脱穀装置の刈取部に、横軸回転の回動式分草搬送装置を設けた構成について記載されている。
　　【発明が解決しようとする課題】
　前記実願昭５６−１４５１２８号のマイクロフィルム、及び実願昭５６−１４５１２９号のマイクロフィルムに記載されたものは、搬送フレームに、前端も後端もリールの掻込み開始位置よりは前方位置である横軸回転の回動式分草搬送装置を設けた構造であるから、回動式分草搬送装置の分草作用と、リールの掻込作用が独立別個に行なわれるので、横倒れの穀稈をリールで掻込むことがあり、穂切れが起き易い。即ち、回動式分草搬送装置で分草しても、横倒れの穀稈はすぐに倒れるからである。また、搬送フレームには分草体が固定されていないから、
例えば、
　また、公知の実願昭５３−８８０７９号のマイクロフィルムに記載されたものは、リールは設けられてなく、全稈投入型脱穀装置でもないから、リールとの関係において、回動式分草搬送装置の分草
作用域を設定
　　【課題を解決するための手段】
　よって、本発明は、フレーム１の下部に走行装置２を、前記フレーム１上に全稈投入型脱穀装置３を、前記フレーム１の前方に分草体１２と該分草体１２で分草した穀稈を掻込む掻込リール５と該掻込リール５で掻込んだ穀稈の根元を切断する刈刃６と該刈刃６で切断した穀稈を集合させるオー労−７とを有する刈取部４を設け、前記オーガー７と前記脱穀装置６の間に前記オーガー７から前記脱穀装置６に至る穀稈搬送装置９を設けた全稈投入型コンバインにおいて、前記リール５のリールフレーム３２の両側または片側には、先端に前記分草体１２を固定した搬送フレーム１５を設け、該搬送フレーム１５は後部を前記刈取部４側に軸止し、該搬送フレーム１５には前端は前記リール５の掻込み開始位置よりも前方位置であり後端は前記リール５の掻込み終了位置よりも後方位置である横軸回転の回動式分草搬送装置１４を設けた全稈投入型コンバインとしたものである
。
　　【実施例】
　本発明の一実施例を図面により説明すると、１はフレーム、２はフレーム１の下部に設けた走行装置、３はフレーム１上に設けた全稈投入型脱穀装置、４はフレーム１の前方に設けた刈取部であり、刈取部４の上方位置には掻込リール５が設けられ、その下部に刈刃６を設け、刈刃６の後方にオーガー７を設け、オーガーの後方にオーガー７から全稈投入型脱穀装置３の脱穀室８に至る穀稈搬送装置９を設ける。
　第３図において、１０はオーガー７のテーブル、第２図において、１１はテーブル１０の左右両側の側壁であり、側壁１１の先端部に分草体１２を配置する。１３は該分草体１２の支持杆１３であり、支持杆１３の後端部
を前
取り付ける
　前記側壁１１の上部位置には、刈地と未刈地との間の穀稈を分草する横軸回転の回動式分草搬送装置１４を設ける。回動式分草搬送装置１４は第１図のように、搬送フレーム１５の前側横軸１６と後側横軸１７とに、スプロケットをそれぞれ固着し、該スプロケット間に無端チェンを巻回し、該無端チェンに回動ラグ１８を取付けて形成する。
　搬送フレーム１５の前端部には取付板１９を介して前記支持杆１３を固定し、搬送フレーム１５の後端部は、搬送フレーム１５より側方に突出させた後側横軸１７を、伝動ケース２０の上部に回動自在に取付ける。伝動ケース２０の下部は、前記側壁１１より突出するオーガー７の回転軸２１に取付ける。
　しかして、
第２図に示すように、
　２３は前記後側横軸１７に固着した歯車、２４は前記回転軸２１に固着した歯車、２５は前記歯車２３、２４に巻回したチェン、２６は掻込リール５の回転軸、３２は掻込リール５のリールフレームである
。
　　【作用】
　次に作用を述べる。
　機体が前進すると、分草体１２で分草し、掻込リール５を回転させて未刈稈を掻き込み、刈刃６の摺動で刈取り、掻込リール５によりオーガー７に掻込んだ穀稈をオーガー７により穀稈搬送装置９の基部に合流させ、穀稈搬送装置９により搬送して脱穀室８に送込み、脱穀する。
　この場合、前記掻込リール５は、未刈地から前記掻込リール５に寄掛ってくる横倒れ穀稈を掻上げるとき、穂切を生じ易いが、本願は、前記リール５のリールフレーム３２の両側または片側には、先端に前記分草体１２を固定した搬送フレーム１５の後部を軸止し、該搬送フレーム１５には前端は前記リール５の掻込み開始位置よりも前方位置であり後端は前記リール５の掻込み終了位置よりも後方位置である横軸回転の回動式分草搬送装置１４を設けたから、分草体１２で分草した横倒れ穀稈は、リール５の作用中、回動式分草搬送装置１４で分草されるので、リールに当らず、穂切を生じない
。
　　【効果】
　前記したように、実願昭５６−１４５１２８号のマイクロフィルム、及び実願昭５６−１４５１２９号のマイクロフィルムに記載されたものは、搬送フレームに、前端も後端もリールの掻込み開始位置よりは前方位置である横軸回転の回動式分草搬送装置を設けた構造であるから、回動式分草搬送装置の分草作用と、リールの掻込作用が独立別個に行なわれるので、横倒れの穀稈をリールで掻込むことがあり、穂切れが起き易い。
　また、公知の実願昭５３−８８０７９号のマイクロフィルムに記載されたものは、リールは設けられてなく、全稈投入型脱穀装置でもないから、リールとの関係において、回動式分草搬送装置の分草
作用域を設定
　しかるに、本発明は、フレーム１の下部に走行装置２を、前記フレーム１上に全稈投入型脱穀装置３を、前記フレーム１の前方に分草体１２と該分草体１２で分草した穀稈を掻込む掻込リール５と該掻込リール５で掻込んだ穀稈の根元を切断する刈刃６と該刈刃６で切断した穀稈を集合させるオーガー７とを有する刈取部４を設け、前記オーガー７と前記脱穀装置３の間に前記オ−ガ−７から前記脱穀装置３に至る穀稈搬送装置９を設けた全稈投入型コンバインにおいて、前記リール５のリールフレーム３２の両側または片側には、先端に前記分草体１２を固定した搬送フレーム１５を設け、該搬送フレーム１５は後部を前記刈取部４側に軸止し、該搬送フレーム１５には前端は前記リール５の掻込み開始位置よりも前方位置であり後端は前記リール５の掻込み終了位置よりも後方位置である横軸回転の回動式分草搬送装置１４を設けた全稈投入型コンバインとしたものであるから、先端に前記分草体１２を固定した搬送フレーム１５の後部を軸止したので、分草体１２と搬送フレーム１５の相互の関係位置は固定され、円滑に分草でき、搬送フレーム１５には前端は前記リール５の掻込み開始位置よりも前方位置であり後端は前記リール５の掻込み終了位置よりも後方位置である横軸回転の回動式分草搬送装置１４を設けたから、リール５の作用中は、引続き回動式分草搬送装置１４で分草しているので、未刈地の横倒れ穀稈がリール５に寄掛ることはなく、穂切を完全に防止する
。
【図面の簡単な説明】
　第１図は全体側面図、第２図は要部側面図、第３図は要部正面
図で
　　　　　　　　　　　　　　　符号の説明
１……フレーム、２……走行装置、３……全稈投入型脱穀装置、４……刈取部、５……掻込リール、６……刈刃、７……オーガー、８……脱穀室、９……穀稈搬送装置、１０……テーブル、１１……側壁、１２……分草体、１３……支持杆、１４……回動式分草搬送装置、１５……搬送フレーム、１６……前側横軸、１７……後側横軸、１８……回動ラグ、１９……取付板、２０……伝動ケ−ス、２１……回転軸、２２……スパイラル翼、２３……歯車、２４……歯車、２５……チェン、２６……リール回転軸、２７……ドラム部
、３